(57)【要約】【課題】内燃機関の停止中において、バイパス弁の閉弁側での固着を検出する。【解決手段】内燃機関の停止中に、スロットル弁が閉弁され、電動過給機の駆動が行われる。この状態において、電動過給機をバイパスする通路に設置バイパス弁が、基準開度に開弁するように制御され、スロットル弁より上流かつ電動過給機より下流側の部分の吸気管内の圧力が検出される。検出された圧力が基準圧力より大きい場合に、バイパス弁が、基準開度よりも閉じ側の開度で固着していることが検出される。【選択図】図２
2018178753.tif 000002
【特許請求の範囲】
【請求項１】
吸気通路に配置されたスロットル弁と、
前記吸気通路の前記スロットル弁より上流側に配置された電動過給機と、
前記吸気通路の、前記電動過給機より上流側の部分と、前記電動過給機と前記スロットル弁との間の部分と、を接続し、前記電動過給機をバイパスするバイパス通路と、
前記バイパス通路に配置されたバイパス弁と、
を備える内燃機関に適用され、
前記内燃機関の停止中に、前記スロットル弁を閉弁し、前記電動過給機を作動させた状態とし、
前記状態において、前記バイパス弁を基準開度に開弁して、前記スロットル弁より上流かつ前記電動過給機より下流側の部分の吸気管内の圧力を検出し、
前記検出された圧力が基準圧力より大きい場合に、前記バイパス弁が、前記基準開度よりも閉じ側の開度で固着していることを検出する、
ように構成されていることを特徴とする内燃機関の異常診断装置。
【発明の詳細な説明】
【技術分野】
【０００１】
本発明は内燃機関の異常診断装置に関する。より具体的には電動過給機と電動過給機をバイパスするバイパス通路とを備える内燃機関に適用され、バイパス通路に配置されたバイパス弁の故障を判定する内燃機関の異常診断装置に関する。
【背景技術】
【０００２】
特許文献１には、ターボ過給機と電動過給機の電動コンプレッサとが吸気通路に直列に配置されるとともに、電動過給機をバイパスするバイパス通路とバイパス弁とが配置された構成を有するシステムが開示されている。特許文献１では、吸気管内の実際の圧力Ｐｉと吸気流量に応じて設定される圧力の目標値Ｐｉｔｒｇとの差が所定値を超える異常が、非アシスト領域においてのみ検出された場合に、バイパス弁が閉固着していると判定される。この判定は、バイパス弁が開かなくなる故障（即ち、閉固着）が生じた場合、電動過給機を作動させない非アシスト領域では電動コンプレッサが吸気抵抗となり、吸気管内の圧力が大幅に減少する異常が現れることに基づくものである。
【先行技術文献】
【特許文献】
【０００３】
【特許文献１】特開２００５−２２０８９０号公報
【特許文献２】特開２００７−０５６８４３号公報
【発明の概要】
【発明が解決しようとする課題】
【０００４】
特許文献１の制御におけるバイパス弁の閉固着の検出は、内燃機関が稼働していない場合には実行することができない。したがって、例えば、ハイブリッド車両などのように、走行中に頻繁に内燃機関が停止とされる車両においては、バイパス弁の閉固着の判定が必要なタイミングで実行できない事態を生じ得る。
【０００５】
本発明は、上記課題を解決することを目的とし、内燃機関の停止中において、バイパス弁の閉弁側での固着を検出できるように改良された内燃機関の異常診断装置を提供するものである。
【課題を解決するための手段】
【０００６】
上記目的を達成するため、本発明は、内燃機関の異常診断装置であって、スロットル弁と電動過給機とバイパス通路とバイパス弁とを有する内燃機関に適用される。スロットル弁は吸気通路に配置され、電動過給機は、吸気通路のスロットル弁より上流側に配置されている。バイパス通路は、電動過給機をバイパスする通路であって、吸気通路の、電動過給機より上流側の部分と、電動過給機とスロットル弁との間の部分と、を接続する。バイパス弁は、バイパス通路に配置されている。
【０００７】
本発明の内燃機関の異常診断装置は、以下のように構成されている。即ち、内燃機関の停止中に、スロットル弁を閉弁し、電動過給機を作動させた状態とする。この状態において、バイパス弁を基準開度に開弁して、スロットル弁より上流かつ電動過給機より下流側の部分の吸気管内の圧力を検出する。検出された圧力が基準圧力より大きい場合に、バイパス弁が、基準開度よりも閉じ側の開度で固着していることを検出する。
【発明の効果】
【０００８】
本発明の異常診断装置によれば、内燃機関の停止中に、バイパス弁の閉じ側での固着を検出することができる。
【図面の簡単な説明】
【０００９】
【図１】本発明の実施の形態１のシステムの全体構成を模式的に示す図である。
【図２】実施の形態１の制御装置が実行する制御のルーチンについて説明するためのフローチャートである。
【図３】内燃機関停止中、かつ、スロットル弁閉弁、かつ、電動過給機駆動の状態におけるバイパス弁の開度とスロットル弁上流側の圧力との関係を説明するための図である。
【図４】実施の形態２の制御装置が実行する制御のルーチンについて説明するためのフローチャートである。
【発明を実施するための形態】
【００１０】
以下、図面を参照して本発明の実施の形態について説明する。なお、各図において、同一または相当する部分には同一符号を付してその説明を簡略化ないし省略する。
【００１１】
実施の形態１．
図１は、本実施の形態のシステムの全体構成を模式的に示す図である。図１のシステムは、内燃機関本体２を備えている。内燃機関本体２には吸気通路４が接続されている。吸気通路４には、電動コンプレッサと電動コンプレッサを作動させるためのモータとを有する電動過給機１０が設置されている。図示を省略するが、電動過給機１０のモータにはバッテリが接続されている。また、同様に図示を省略するが、電動過給機１０には、電動コンプレッサの回転数を計測するための回転数センサが内蔵されている。
【００１２】
吸気通路４に並行して、電動過給機をバイパスするバイパス通路１２が設置されている。バイパス通路１２の上流側端部は、吸気通路４の電動過給機１０より吸気流れの上流側となる部分に連通し、下流側端部は、電動過給機１０より吸気の流れの下流側となる部分に連通している。バイパス通路１２には、バイパス弁であるＡＢＶ（Air Bypass Valve）１４が設置されている。ＡＢＶ１４は電磁弁であり、制御信号により閉弁又は任意の開度に開弁してバイパス通路１２に流通する空気量を調節するための弁である。
【００１３】
また、吸気通路４の、バイパス通路１２の下流側端部との接続部よりも吸気の流れの下流には、スロットル弁１６が設置されている。
【００１４】
また、吸気通路のスロットル弁１６と電動過給機１０との間の部分には、吸気通路４内の圧力を計測するための圧力センサ１８が設置されている。ただし、本実施の形態において、圧力センサ１８は、電動過給機１０及びＡＢＶ１４より下流、かつ、スロットル弁１６より上流の吸気通路４内の圧力（以下、「スロットル前圧力」と称する）を計測できるものであればよい。従って、圧力センサ１８は、吸気通路４のスロットル弁１６と電動過給機１０との間の部分、及び、バイパス通路１２のＡＢＶ１４よりも下流側の部分、であれば、どこに設置されていてもよい。なお、以下の実施の形態において圧力センサ１８により計測されたスロットル前圧力を「検出値」とも称することとする。
【００１５】
上述した電動過給機１０の回転数センサ及び圧力センサ１８を含む各種のセンサ及び各アクチュエータは、異常診断装置としての機能を有する制御装置２０に電気的に接続されている。制御装置２０はＥＣＵ(Electronic Control Unit)である。制御装置２０は、内燃機関のシステム全体の制御を行うものであり、ＣＰＵ、ＲＯＭ、ＲＡＭを含むコンピュータを主体として構成されている。ＲＯＭには、後述するＡＢＶ１４の固着を検出する制御を含む各種制御ルーチンが記憶されている。制御装置２０は、各センサからの信号に基づいて各アクチュエータを操作することによって内燃機関を制御する。
【００１６】
制御装置２０は、電動過給機１０のモータにより電動コンプレッサの駆動を制御する。制御装置２０は、内燃機関の運転領域が電動過給機１０を作動させる作動域にあるときに、ＡＢＶ１４を閉弁状態として、所定のコンプレッサ回転数で電動過給機１０を駆動して吸入空気を過給する。一方、運転領域が電動過給機１０を非作動とする非作動域にあるとき、ＡＢＶ１４を開弁状態として、電動過給機１０を非作動状態とする。
【００１７】
また、制御装置２０は、閉固着、即ち、ＡＢＶ１４の全閉又は全閉近傍の閉弁側で固着していることを検出する。閉固着の検出は、内燃機関の停止中に、スロットル弁１６を閉弁し、電動過給機１０を駆動させた固着判定状態において実行する。
【００１８】
ここで固着判定状態においても、ＡＢＶ１４が正常であり開弁されていれば、スロットル前圧力の上昇は少ない。電動過給機１０を駆動させても、電動過給機１０の下流側の空気は過給されず、バイパス通路１２を介して吸気通路４の上流側に流出するためである。
【００１９】
一方、固着判定状態において、ＡＢＶ１４が閉弁している場合には、スロットル前圧力は大きく上昇する。電動過給機１０及びＡＢＶ１４の下流側、かつ、スロットル弁１６の上流側の吸気通路４は閉塞された状態となっており、電動過給機１０の駆動により、電動過給機１０の下流側の空気が過給されるためである。
【００２０】
制御装置２０は、これを利用して、固着判定状態において、ＡＢＶ１４に開弁指令を出し、検出されたスロットル前圧力の検出値が、基準圧力より大きい場合にＡＢＶ１４が閉固着していることを検出する。なおここで、基準圧力は、例えば、固着判定状態におけるＡＢＶ１４の開度とスロットル前圧力の値との関係に基づいて、適宜設定することができる。
【００２１】
図２は、制御装置２０が実行する制御のルーチンについて説明するためのフローチャートである。図２のルーチンは所定の制御間隔で繰り返し実行される。図２のルーチンでは、まず、ステップＳ２において、内燃機関の停止中であるか否かが判別される。ステップＳ２において内燃機関の停止中ではないと判別された場合、今回の処理は一旦終了する。
【００２２】
一方、ステップＳ２において、内燃機関の停止中であると判別された場合、次に、ステップＳ４において、現在のバッテリ残量が所定値より大きいか否かが判別される。ここで所定値は、後述する電動過給機１０を駆動させる制御の実行に必要なバッテリ量及びその他に必要な量に応じて、事前に設定された値である。ステップＳ４において、バッテリ残量が所定値以下であると判別された場合には、今回の処理は一旦終了する。
【００２３】
一方、ステップＳ４において、バッテリ残量が所定値より大きいと判別された場合には、次に、ステップＳ６においてスロットル弁１６が閉弁とされる。次に、ステップＳ８において、ＡＢＶ１４に開弁指令が出され、基準開度に開弁するように制御される。ここで基準開度は予め設定された全開近傍の開度である。
【００２４】
次に、ステップＳ１０において、電動過給機１０が、所定の目標回転数となるように駆動される。次に、ステップＳ１２において、電動過給機１０の回転数が、目標回転数となっているか否かが判別される。ステップＳ１２において、電動過給機１０の回転数が、目標回転数となっていないと判別された場合、今回の処理は一旦終了する。
【００２５】
一方、ステップＳ１２において、電動過給機１０の回転数が目標回転数であると判別された場合には、次に、ステップＳ１００において、スロットル前圧力の検出値が、基準圧力を超えているか否かが判別される。ここで、検出値としては、ステップＳ２、Ｓ６及びＳ１０の処理により実現された固着判定状態下において、圧力センサ１８により計測された値が用いられる。
【００２６】
ステップＳ１００において、スロットル前圧力の検出値が基準圧力を超えていると判別される場合、電動過給機１０の下流かつＡＢＶ１４の下流の空気が、電動過給機１０の作動により過給されている状態にあると考えられる。即ち、ＡＢＶ１４が閉固着しているものと考えられる。従って、この場合には、ステップＳ１０２においてＡＢＶ１４が閉固着していると判定され、閉固着を示すフラグFlgが１（あるいはＯＮ）に設定される。その後今回の処理は終了する。
【００２７】
一方、ステップＳ１００において、スロットル前圧力の検出値が基準圧力以下であると判別された場合、電動過給機１０の下流の空気は過給されていないものと考えられる。即ち、ＡＢＶ１４はステップＳ８における開弁指令に従って、正常に開弁したと判断できる。従って、この場合には、今回の処理はそのまま終了する。
【００２８】
なお、ステップＳ１０２において、ＡＢＶ１４の閉固着を示すフラグFlgが１に設定されると、別のルーチンに従って、ＡＢＶ１４の閉固着時に必要な処理が実行される。
【００２９】
以上説明したように、本実施の形態の制御によれば、内燃機関の停止時にＡＢＶ１４の閉固着の有無を判定することができる。従って、ハイブリッド車両やアイドルストップ制御が実行される車両など、内燃機関が頻繁に停止される車両においても、確実にＡＢＶ１４の閉固着を検出することができる。
【００３０】
なお、実施の形態１では、ＡＢＶ１４が全閉又は全閉近傍で固着している閉固着を検出する場合について説明した。しかしながら、例えば、ステップＳ８におけるＡＢＶ１４の開度を、任意の基準開度として、ステップＳ１００における基準圧力を、基準開度に応じたスロットル前圧力の推定値に応じて設定することで、ＡＢＶ１４が基準開度より小さな開度側で固着していることを検出するようにしてもよい。
【００３１】
実施の形態２．
実施の形態２のシステムは、図１のシステムと同一の構成を有している。ただし、実施の形態２のシステムにおいて制御装置は、実施の形態１の制御とは異なる制御を実行する。
【００３２】
図３は、固着判定状態における、ＡＢＶ１４の開度とスロットル前圧力との関係を説明するための図である。図３に示されるように、電動過給機１０の回転数が一定である場合、ＡＢＶ１４の開度とスロットル前圧力とは一定の相関関係を有し、ＡＢＶ１４の開度が大きくなるほどスロットル前圧力は小さくなる。
【００３３】
図３に、例として、固着開度ａでＡＢＶ１４が固着している場合を示している。この例では、固着判定状態においてＡＢＶ１４に全開指令を出した場合でも、検出されるスロットル前圧力は、固着開度ａに応じた検出値ｂとなる。
【００３４】
ここで実施の形態１の固着判定では、検出値が基準圧力より大きい場合にのみ閉固着と判定される。従って、図３に示されるように、基準圧力が、固着開度ａより小さい開度に応じたスロットル前圧力の値に設定されている場合、実施の形態１の制御では固着なしと判定される。
【００３５】
ところで図３に示されるように、固着開度ａで固着している場合、検出値ｂと、ＡＢＶ１４の全開時のスロットル前圧力との乖離は小さくなるが、ＡＢＶ１４の全閉時のスロットル前圧力との乖離は大きくなる。
【００３６】
従って本実施の形態２では、固着判定状態下で、ＡＢＶ１４を全開とする指令を出して、このとき検出されるスロットル前圧力の検出値と、ＡＢＶ１４が正常に全開とされた場合のスロットル前圧力の推定値（以下、「全開基準圧力」とも称する）とを比較する。その乖離が大きい場合には、ＡＢＶ１４が全開とならず、いずれかの開度で固着していることを検出する。
【００３７】
また、固着判定状態下で、ＡＢＶ１４に全閉とする指令を出して、このとき検出されるスロットル前圧力の検出値と、ＡＢＶ１４が正常に全閉とされた場合のスロットル前圧力の推定値（以下、「全閉基準圧力」とも称する）とを比較する。両者の乖離が大きい場合には、ＡＢＶが全閉となっていないため、いずれかの開度で固着していることを検出する。
【００３８】
更に、ＡＢＶ１４が固着していると判定された場合には、図３に示すようなＡＢＶ１４の開度とスロットル前圧力との関係に従って、スロットル前圧力の検出値に応じて、固着開度の推定値を算出する。更に、固着開度の推定値に応じて、電動過給機１０の上限回転数を設定し、電動過給機１０がそれ以下の回転数で作動するように制限する。なお、ＡＢＶ１４とスロットル前圧力との具体的な関係は、予め実験やシミュレーションにより求め、マップ等として制御装置に記憶しておくものとする。
【００３９】
図４は、実施の形態２において制御装置２０が実行する制御のルーチンについて説明するためのフローチャートである。図４の制御のルーチンは、図２のルーチンに替えて実行されるものであり、ステップＳ１００〜Ｓ１０２の処理に替えて、ステップＳ２０２〜Ｓ２１４の処理を有する点を除き、図２のルーチンと同一である。
【００４０】
具体的に、図４のルーチンでは、ステップＳ１２において電動過給機１０の回転数が目標回転数であると判別されると、次に、ステップＳ２０２において、スロットル前圧力の検出値と全開基準圧力との差が、基準値より大きいか否か、即ち、検出値と全開基準圧力の乖離が大きいか否かが判別される。なお、この判定で用いられる検出値は、ステップＳ２〜Ｓ１２の処理実行後に検出された圧力センサ１８の出力に基づくスロットル前圧力である。
【００４１】
ステップＳ２０２において、検出値と全開基準圧力との差が基準値以下であると判別された場合、次に、ステップＳ２０４においてＡＢＶ１４が全閉とされる。次に、ステップＳ２０６において、スロットル前圧力の検出値と全閉基準圧力との差が、基準値より大きいか否か、即ち、検出値と全閉基準圧力の乖離が大きいか否かが判別される。なお、この判定で用いられる検出値は、ステップＳ２０４の処理実行後に検出された圧力センサ１８の出力に基づくスロットル前圧力である。
【００４２】
ステップＳ２０６において、検出値と全閉基準圧力との差が基準値より大きいと判別された場合には、ＡＢＶ１４は固着していないものと判定される。従って、今回の処理はこのまま終了する。
【００４３】
ステップＳ２０２において、検出値と全開基準圧力との差が基準値より大きいと判別された場合、又は、ステップＳ２０６において、検出値と全閉基準圧力との差が基準値より大きいと判別された場合、ＡＢＶ１４は固着を起こしているものと判定される。従ってこの場合には、ステップＳ２０８に進み、固着を示すフラグがＯＮとされる。
【００４４】
次に、ステップＳ２１０において、固着開度の推定値が算出される。固着開度の推定値は、ＡＢＶ１４の開度とスロットル前圧力との関係を定めたマップに従って、スロットル前圧力の検出値に応じて算出される。
【００４５】
次に、ステップＳ２１２において、電動過給機１０の上限回転数が算出される。上限回転数は、図４のステップＳ２１２に記載されているような、ＡＢＶ１４の固着開度と上限回転数とのマップに従って、ステップＳ２１０において算出された固着開度の推定値に応じて算出される。
【００４６】
次に、ステップＳ２１４において、上限回転数が、電動過給機１０の回転数の制限値として設定され、今回の処理は終了する。
【００４７】
以上説明したように、本実施の形態２によれば、ＡＢＶ１４が全閉又は全閉近傍で固着している場合に限らず、中間開度で固着している場合にも、高い精度で固着を検出することができる。更に、固着開度を算出することができ、それに応じて、電動過給機１０の回転数に制限をかけることができる。
【００４８】
なお、以上の実施の形態において各要素の個数、数量、量、範囲等の数に言及した場合、特に明示した場合や原理的に明らかにその数に特定される場合を除いて、その言及した数に、この発明が限定されるものではない。また、この実施の形態において説明する構造等は、特に明示した場合や明らかに原理的にそれに特定される場合を除いて、この発明に必ずしも必須のものではない。
【符号の説明】
【００４９】
２  内燃機関本体
４  吸気通路
１０  電動過給機
１２  バイパス通路
１４  ＡＢＶ（バイパス弁）
１６  スロットル弁
１８  圧力センサ
２０  制御装置
【図１】
2018178753.tif 000003
【図２】
2018178753.tif 000004
【図３】
2018178753.tif 000005
【図４】
2018178753.tif 000006